(57)【要約】      （修正有）【課題】アナログ放送の終了に対応して、信号出力を地上アナログ放送信号からヘッドエンド装置の再送信信号に自動的に切り替えることが可能な信号切替装置を実現する。【解決手段】地上アナログ放送信号が入力する第１の信号入力部と、地上アナログ放送の電波形式に変換されている地上デジタル放送信号が入力する第２の信号入力部と、第１と第２の信号入力部の信号出力を切り替える信号切替手段と、地上アナログ放送信号を復調して映像信号を出力する復調手段と、映像信号の垂直帰線期間を監視し、前記信号切替手段を制御手段とを具える。該制御手段は、垂直帰線期間に重畳されている文字放送番組に含まれる特定のメッセージを検出する手段を有し、特定のメッセージの検出に応じて信号出力を切り替える。或いは、文字放送信号の復号が不能となったタイミングで切り替える。【選択図】図２
2010016595.tif 000002
【特許請求の範囲】
【請求項１】
地上アナログ放送信号が入力する第１の信号入力部と、
地上アナログ放送の電波形式に変換されている地上デジタル放送信号が入力する第２の信号入力部と、
第１の信号入力部に入力した信号と第２の信号入力部に入力した信号との間で、信号出力を切り替える信号切替手段と、
前記地上アナログ放送信号を復調して映像信号を出力する復調手段と、
復調された映像信号の垂直帰線期間を監視し、前記信号切替手段の信号出力を第１の信号入力部に入力した信号から第２の信号入力部に入力した信号に切り替える制御手段とを具え、
前記制御手段は、垂直帰線期間に重畳されている文字放送番組を復号する復号手段と、文字放送番組に含まれ、地上アナログ放送信号の終了を示す特定のメッセージを検出する手段とを有し、前記特定のメッセージの検出に対応して前記信号切替手段の信号出力を、第１の信号入力部に入力した放送信号から第２の信号入力部に入力した放送信号に自動的に切り替えることを特徴とする信号切替装置。
【請求項２】
請求項１に記載の信号切替装置において、前記制御手段は、前記特定のメッセージが検出された後、その継続時間を計測する手段を有し、特定のメッセージの継続時間が所定の時間期間を超えた時、そのタイミングで前記信号切替手段の信号出力を、第１の信号入力部に入力した放送信号から第２の信号入力部に入力した放送信号に自動的に切り替えることを特徴とする信号切替装置。
【請求項３】
地上アナログ放送信号が入力する第１の信号入力部と、
地上アナログ放送の電波形式に変換されている地上デジタル信号が入力する第２の信号入力部と、
第１の信号入力部に入力した信号と第２の信号入力部に入力した信号との間で、信号出力を切り替える信号切替手段と、
前記地上アナログ放送信号を復調して映像信号を出力する復調手段と、
復調された映像信号の垂直帰線期間を監視し、前記信号切替手段の信号出力を第１の信号入力部に入力した信号から第２の信号入力部に入力した信号に切り替える制御手段とを具え、
前記制御手段は、垂直帰線期間に重畳されている文字放送番組を復号する復号手段を有し、文字放送番組の復号が不能となったタイミングで、前記信号切替手段の信号出力を、地上アナログ放送信号から、地上アナログ放送信号の電波形式に変換されている地上デジタル放送信号に自動的に切り替えることを特徴とする信号切替装置。
【請求項４】
地上デジタル放送信号を地上アナログ放送信号に変換する再変調部と、請求項１から３までのいずれか１項に記載の信号切替装置とを備えたことを特徴とするヘッドエンド装置。
【発明の詳細な説明】
【技術分野】
【０００１】
本発明は、信号出力を地上アナログ放送信号から、電波形式が地上アナログ放送信号の電波形式に変換されている地上デジタル放送信号に自動的に切り替える信号切替装置及びこのような信号切替装置を有するヘッドエンド装置に関するものである。
【背景技術】
【０００２】
２０１１年７月２４日に地上アナログ放送が終了し、地上デジタル放送に完全移行する。この時期の前後において、残存するアナログテレビ受信機の廃棄及びリサイクル量の集中が懸念され、環境保護の観点から平準化する方法の開発が強く要請されている。
【０００３】
アナログテレビ受信機の廃棄及びリサイクル量を平準化する方法の１つとして、集合住宅やホテル、病院等の事業所では、地上デジアナヘッドエンド装置の利用が想定される。ヘッドエンド装置は、地上デジタル放送の各チャンネルの電波形式を地上アナログ放送の電波形式に変換して再送信する装置であり、共同受信システムに設置することにより、アナログテレビ受信機を利用して地上デジタル放送を視聴することができる（例えば、特許文献１参照）。
【０００４】
ヘッドエンド装置の再送信信号の伝送チャンネルは、ヘッドエンド装置を設置する前に地上アナログ放送を伝送していたチャンネルと同じくすれば、各世帯のアナログテレビについてチャンネルプリセットを行う必要がなく、各受信世帯にとって高い利便性が期待される。一方、地上アナログ放送を伝送していたチャンネルとは異なるチャンネルで再送信信号を伝送する場合には、チャンネルプリセットが必須となる上、当然のこととしてプリセットを行わない世帯では、放送を視聴できない不都合が生じてしまう。
【特許文献１】特開２００２−２４７５４６号公報
【発明の開示】
【発明が解決しようとする課題】
【０００５】
ヘッドエンド装置の再送信信号の伝送チャンネルを地上アナログ放送の伝送チャンネルと同一にすることにより、高い利便性が得られるが、以下に述べる問題がある。すなわち、地上アナログ放送が終了するまでの期間は、ヘッドエンド装置から出力される再送信信号と受信システムに飛び込む地上アナログ放送信号（強電界地区において受信システムの電磁シールドが十分でない場合に発生する現象）とが同一チャンネルの場合、混信によりアナログテレビジョン受像機における受信品質が劣化するおそれがある。この課題に対する解決策として、アナログ放送終了直前の時期にヘッドエンド装置を設置して、混信が発生する期間をアナログ放送終了までのできるだけ短い期間に抑える方策が考えられる。しかしながら、ヘッドエンド装置の設置工事が全国的に同時期に短期的に集中することになり、アナログ放送終了前に全ての設置工事が完了されることが保証されない問題がある。
【０００６】
本発明の目的は、アナログ放送の終了に対応して、信号出力を地上アナログ放送信号からヘッドエンド装置の再送信信号に自動的に切り替えることが可能な信号切替装置を実現することにある。
【課題を解決するための手段】
【０００７】
本発明による信号切替装置は、地上アナログ放送信号が入力する第１の信号入力部と、
地上アナログ放送の電波形式に変換されている地上デジタル放送信号が入力する第２の信号入力部と、
第１の信号入力部に入力した信号と第２の信号入力部に入力した信号との間で、信号出力を切り替える信号切替手段と、
前記地上アナログ放送信号を復調して映像信号を出力する復調手段と、
復調された映像信号の垂直帰線期間を監視し、前記信号切替手段の信号出力を第１の信号入力部に入力した信号から第２の信号入力部に入力した信号に切り替える制御手段とを具え、
前記制御手段は、垂直帰線期間に重畳されている文字放送番組を復号する復号手段と、文字放送番組に含まれ、地上アナログ放送信号の終了を示す特定のメッセージを検出する手段とを有し、前記特定のメッセージの検出に対応して前記信号切替手段の信号出力を、第１の信号入力部に入力した放送信号から第２の信号入力部に入力した放送信号に自動的に切り替えることを特徴とする。
【０００８】
本発明では、地上アナログ放送信号の垂直帰線期間を監視し、地上アナログ放送信号の終了を示す特定のメッセージを検出しているので、地上アナログ放送信号の終了に対応して、信号出力を地上アナログ放送信号から電波形式が変換された地上デジタル放送信号に自動的に切り替えることができる。この結果、同一チャンネル混信による受信品質の劣化が生じても、その期間を相当短くすることが可能になる。
【０００９】
本発明による信号切替装置は、地上アナログ放送信号が入力する第１の信号入力部と、
地上アナログ放送の電波形式に変換されている地上デジタル信号が入力する第２の信号入力部と、
第１の信号入力部に入力した信号と第２の信号入力部に入力した信号との間で、信号出力を切り替える信号切替手段と、
前記地上アナログ放送信号を復調して映像信号を出力する復調手段と、
復調された映像信号の垂直帰線期間を監視し、前記信号切替手段の信号出力を第１の信号入力部に入力した信号から第２の信号入力部に入力した信号に切り替える制御手段とを具え、
前記制御手段は、垂直帰線期間に重畳されている文字放送番組を復号する復号手段を有し、文字放送番組の復号が不能となったタイミングで、前記信号切替手段の信号出力を、地上アナログ放送信号から地上アナログ放送信号の電波形式に変換されている地上デジタル放送信号に自動的に切り替えることを特徴とする。
【００１０】
本発明による信号切替装置では、地上アナログ放送信号の終了を示す文字放送信号が復号不能となった時点を検出し、そのタイミングで信号出力を切り替えているので、地上アナログ放送信号の終了に対応して信号出力を自動的に切り替えることができる。当該信号切替方式によれば、放送局では既存の送出設備を利用することができる利点があり、信号切替装置側においては既存の文字放送デコーダを活用できる利点が達成される。
【発明の効果】
【００１１】
本発明では、地上アナログ放送信号の終了に対応して、信号出力を地上アナログ放送信号から電波形式が変換された地上デジタル放送信号に自動的に切り替えているので、同一チャンネルの混信による受信品質の劣化するおそれのある期間を相当短くすることが可能である。さらに、本発明による信号切替装置又はヘッドエンド装置を用いれば、ヘッドエンド装置の設置工事の平準化が可能になる。
【発明を実施するための最良の形態】
【００１２】
図１は本発明による信号切替装置を有する受信システムの一例を示す線図である。本発明による信号切替装置は、ヘッドエンド装置から独立して設置され、ヘッドエンド装置の後段に接続して使用することができ、或いはヘッドエンド装置の内部に組み込むことも可能である。図１（Ａ）は、信号切替装置をヘッドエンド装置から独立して使用する例を示し、図１（Ｂ）は信号切替装置がヘッドエンド装置内に組み込まれている例を示す。図１（Ａ）を参照するに、第１のアンテナ１により地上アナログ放送の電波が受信され、第２のアンテナ２により地上デジタル放送信号の電波が受信される。地上アナログ放送信号は信号切替装置３に供給され、地上デジタル放送信号はヘッドエンド装置４に供給する。ヘッドエンド装置４は、選局された各チャンネルの地上デジタル放送信号を復調する復調部４ａと、復調された地上デジタル放送信号を地上アナログ放送信号の電波形式（ＮＴＳＣ形式）のアナログ放送信号に変換する再変調部４ｂを有する。ヘッドエンド装置４から出力されるアナログ放送信号（再送信信号）は、信号切替装置３に供給する。また、図１（Ｂ）に示すように、信号切替装置３がヘッドエンド装置４の内部に組み込まれている場合、地上アナログ放送信号電波を受信する第１のアンテナ１からのアナログ放送信号はヘッドエンド装置４に供給され、内部に組み込まれている信号切替装置３に供給される。勿論、ヘッドエンド装置４は、ＣＳ放送信号を受信するＣＳアンテナ及びＢＳ放送信号を受信するＢＳアンテナが接続され、地上デジタル信号だけでなく、ＣＳ放送信号及びＢＳ放送信号を出力することもできる。
【００１３】
本発明による信号切替装置は、ヘッドエンド装置が既に設置されている場合、現場においてヘッドエンド装置に接続して使用することができる。また、ヘッドエンド装置に組み込み、アナログ放送の終了に対応して信号出力を地上アナログ放送信号から電波形式が変換された地上デジタル放送信号に自動的に切り替えることが可能な機能を有するヘッドエンド装置としても実現される。
【００１４】
アナログ放送の終了に先立って、放送局は、地上アナログ放送の終了を示す特定のメッセージを符号化した文字放送番組を放送することは既設の放送設備で可能である。文字放送番組は、地上アナログ放送信号の映像信号の垂直帰線期間に重畳されて放送される。そこで、本発明では、映像信号の垂直帰線期間に重畳される文字放送信号を特定のメッセージとして検出し、特定のメッセージの検出に基づいて信号切替を実行する。
【００１５】
図２は信号切替装置の一例を示す線図である。信号切替装置は、第１及び第２の信号入力部１０及び１１を有し、地上アナログ放送信号は第１の信号入力部１０に入力し、地上アナログ放送信号の電波形式に変換された再送信信号は第２の信号入力部１１に入力する。これら２つのアナログ放送信号はスイッチ１２に供給され、スイッチ１２において信号出力が地上アナログ放送信号から再送信信号に自動的に切り替えられ、信号出力部１３に出力される。
【００１６】
第１の入力部１０に入力した地上アナログ放送信号は復調部１４に供給される。選局設定部１５においてチャンネル設定が行われ、特定のチャンネル（例えば、ＧＴＶ）が設定される。選局設定部の出力信号は局部発信信号出力部１６に供給され、設定されたチャンネルの局部発信信号が復調部１４に供給される。復調部１４は、所定のチャンネルの地上アナログ放送信号を復調して映像信号を形成し、当該映像信号を切替制御手段１７に供給する。切替制御手段１７は、映像信号の垂直帰線期間を監視してスイッチ１２の信号切替を制御する。
【００１７】
復調された映像信号は、切替タイミング検知部１８に供給され、切替制御を行うタイミングが検出され、その出力信号は、スイッチ１２を切替制御する制御信号であるトリガを発生するトリガ部１９に供給する。トリガ部１９とスイッチとの間に、一種のゲートとして機能するイネーブル制御部２０を設ける。イネーブル制御部２０は、イネーブル設定部２１により設定された条件のもとでトリガ部１９で発生したトリガ信号をスイッチの制御端子に供給する。イネーブル設定部２１における設定条件として、例えば地上アナログ放送信号が完全に停波する日時を基準とする時刻や期間が設定される。イネーブル制御部を設けることにより、誤動作に起因するスイッチの切り替えを回避することができる。
【００１８】
選局設定部１５には試験信号発生部２２を接続し、選局設定部において設定された信号周波数のチャンネルの信号を発生し、試験出力部２３から出力する。試験信号発生部を設けることにより、作業員が信号切替装置を設置する際に、誤動作することなく信号切替ができることが現場において確認することができる利点がある。
【００１９】
図３は切替タイミング検知部１８の一例を示す線図である。復調された映像信号は、文字放送信号分離部３０及び同期分離部３１にそれぞれ供給する。同期分離部３１は、映像信号から同期信号を分離し、文字放送信号を抽出するためのゲートパルス及びクロックパルスを再生する。文字放送信号分離部３０は、抽出された同期信号を用いて文字放送信号を抽出する。抽出された文字放送信号は、復号部３２に供給され、特定のチャンネルの文字放送信号が復号される。本例では、復号された文字放送信号を特定のメッセージとして検出し、切替タイミングを決定する。
【００２０】
復号部３２により復号された特定のメッセージは符号検出部３３に供給する。符号検出部３３は、特定のメッセージに対応する符号情報を保持し、復号部から順次出力される文字放送信号と保持している符号情報とを比較する。尚、特定のメッセージの例として疑似ランダム信号を用い、放送局と信号切替装置との間で疑似ランダム信号を共有することができる。疑似ランダム信号は、通常の文字放送番組において出現しにくい信号であるから、信号切替において誤動作する可能性が低減する利点がある。
【００２１】
特定のメッセージが検出された際、タイマ３４が計数を開始し、特定のメッセージ（疑似ランダム信号）の継続時間をタイマ３４により計数する。タイマ３４の出力は閾値手段３５に供給し、特定のメッセージの継続時間が所定の時間期間を超えて発生するか否かを検出する。所定の継続時間として、例えば１分間に設定することができる。特定のメッセージの継続時間が閾値を超えた場合、アナログ放送信号の終了直前であることが検知され、通知部３６からトリガ部１９に通知される。トリガ部は、通知を受け、トリガをイネーブル制御部２０を介してスイッチ１２に供給する。スイッチ１２は、トリガを受信すると直ちに信号出力を地上アナログ放送信号から再送信信号に切り替える。
【００２２】
図４は切替タイミング検知部１８の別の実施例を示す線図である。尚、図３で用いた構成要素と同一の構成要素には同一符号を付す。本例では、同期分離部３１の後段に同期分離判定部３７を設け、同期信号が抽出されたか否かを判定する。放送局から文字放送番組が放送されている期間中は、同期分離部３１において同期信号が抽出され、文字放送信号が復号される。一方、アナログ放送信号の終了に対応して、放送局は文字放送番組の送信を停止するため、同期分離部３１から同期信号が抽出されず、文字放送信号の復号が不能になる。よって、文字放送信号の復号が不能になるタイミングで信号出力を切り替えれば、地上アナログ信号の終了に対応して、地上アナログ放送信号から電波形式が変換された地上デジタル放送信号に自動的に切り替えられる。
【００２３】
同期分離部３１において抽出された同期信号は同期分離判定部３７に供給され、同期信号が抽出されているか否か判定する。同期信号が抽出された場合、抽出された同期信号は文字放送信号分離部３０に供給され、文字放送信号が抽出され、復号部３２に供給される。一方、同期分離判定部３７において、規定のフォーマットの同期信号が抽出されない場合、同期分離判定部は復号が不能になったものと判定し、そのタイミングで復号が不能になったことを示す信号を通知部３６に供給する。通知部３６はトリガ部１９に通知し、スイッチ１２を切り替える。このように、復号が不能になったタイミングでスイッチを切り替えることにより、放送局では既存の送出設備を利用することができる利点があり、信号切替装置においては市場において使用されている文字放送デコーダを活用することができる。
【００２４】
さらに、文字放送の終了に伴い、規定のフォーマットの同期信号が検出されない場合、そのタイミングでタイマ３４対して計数を開始させ、所定の時間期間を超えて正規の同期信号が検出されない場合、トリガを発生させるように構成することも可能である。
【図面の簡単な説明】
【００２５】
【図１】本発明による信号切替装置を具える受信システムの一例を示す線図である。
【図２】信号切替装置の一例を示す図である。
【図３】切替タイミング検知部の一例を示す図である。
【図４】切替タイミング検知部の別の実施例を示す図である。
【符号の説明】
【００２６】
１  第１のアンテナ
２  第２のアンテナ
３  信号切替装置
４  ヘッドエンド装置
１０  第１の信号入力部
１１  第２の信号入力部
１２  スイッチ
１３  信号出力部
１４  復調部
１５  選局設定部
１６  局部発信信号出力部
１７  切替制御部
１８  切替タイミング検知部
１９  トリガ部
２０  イネーブル制御部
２１  イネーブル設定部
２２  試験信号発生部
２３  試験信号出力部
３０  文字放送分離部
３１  同期分離部
３２  復号部
３３  符号検出部
３４  タイマ
３５  閾値手段
３６  通知部
３７  同期分離判定部
【図１】
2010016595.tif 000003
【図２】
2010016595.tif 000004
【図３】
2010016595.tif 000005
【図４】
2010016595.tif 000006